(57)【要約】【課題】カメラの構造を複雑化することなく、操作部材を操作しやすいように配置可能なカメラを提供する。【解決手段】本発明のカメラ（１０）は、被写体像を撮像する撮像部（１１）と、複数の操作部材（２０Ｍ，２０Ｓ，２１〜２８）と、前記複数の操作部材（２０Ｍ，２０Ｓ，２１〜２８）のうちの第１の操作部材（２０Ｓ，２１〜２８）が操作されたときに、前記撮像部（１１）での撮像を開始する第１の制御を行い、前記複数の操作部材（２０Ｓ，２１〜２８）のうち第２の操作部材（２０Ｓ，２１〜２８）が操作されたときに、前記第１の制御以外の第２の制御を行う制御部（１２）とを備え、前記制御部（１２）は、前記第２の操作部材（２０Ｓ，２１〜２８）が操作されたときに行う制御を前記第１の制御に変更することが可能であること、を特徴とする。【選択図】図１
2010193387.tif 000002
【特許請求の範囲】
【請求項１】
被写体像を撮像する撮像部と、
複数の操作部材と、
前記複数の操作部材のうちの第１の操作部材が操作されたときに、前記撮像部での撮像を開始する第１の制御を行い、前記複数の操作部材のうち第２の操作部材が操作されたときに、前記第１の制御以外の第２の制御を行う制御部とを備え、
前記制御部は、前記第２の操作部材が操作されたときに行う制御を前記第１の制御に変更することが可能であること、
を特徴とするカメラ。
【請求項２】
請求項１に記載のカメラであって、
前記制御部は、前記第２の操作部材が操作されたときに行う制御を前記第１の制御に変更する際に、前記第１の操作部材が操作されたときに行う制御を前記第２の制御に変更すること、
を特徴とするカメラ。
【請求項３】
請求項２に記載のカメラであって、
該カメラの電源のオンオフを行う第３の操作部材を備え、
前記制御部は、前記第３の操作部材によりオフからオンにする操作がなされた場合に、前記第１の操作部材が操作されたときに前記第１の制御を行う設定とすること、
を特徴とするカメラ。
【請求項４】
請求項１に記載のカメラであって、
該カメラの電源のオンオフを行う第３の操作部材を備え、
前記制御部は、前記第２の操作部材が操作された状態で前記第３の操作部材によりオフからオンにする操作がなされた場合に、前記第２の操作部材が操作されたときに行う制御を前記第１の制御に変更すること、
を特徴とするカメラ。
【請求項５】
請求項４に記載のカメラであって、
前記制御部は、前記第２の操作部材が操作されたときに行う制御を前記第１の制御に変更する際に、前記第１の操作部材が操作されたときに行う制御を前記第２の制御に変更すること、
を特徴とするカメラ。
【請求項６】
請求項５に記載のカメラであって、
前記制御部は、前記第１の操作部材が操作されたときに行う制御が前記第２の制御に変更された後、第３の操作部材によりオフからオンにする操作がなされた場合に、前記第１の操作部材が操作されたときに前記第１の制御を行う設定とすること、
を特徴とするカメラ。
【請求項７】
請求項６に記載のカメラにおいて、
前記制御部は、前記第１の操作部材が操作された状態で前記第３の操作部材によりオフからオンにする操作がなされた場合に、前記設定とすること、
を特徴とするカメラ。
【請求項８】
請求項１〜７のいずれか１項に記載のカメラであって、
前記第２の操作部材は、操作がなされた場合に行われる制御が識別可能に表示される表示部を備えること、
を特徴とするカメラ。
【請求項９】
請求項２または３または５または６または７に記載のカメラであって、
前記第１の操作部材は、操作がなされた場合に行われる制御が識別可能に表示される表示部を備えること、
を特徴とするカメラ。
【請求項１０】
請求項１〜９のいずれか１項に記載のカメラであって、
前記第１の操作部材および前記第２の操作部材は、半押しと全押しが可能な操作部材であること、
を特徴とするカメラ。
【発明の詳細な説明】
【技術分野】
【０００１】
本発明は、複数の操作部材を有するカメラに関するものである。
【背景技術】
【０００２】
一般的にカメラの操作部材は、撮影者が右利きであることを前提にして配置されている。このため、右利きの撮影者が、右手がふさがった状態で撮影する場合や、撮影者が左利きの場合、操作部材が使いにくい場合がある。このため、操作部材をカメラ筐体に対して移動可能としたカメラが提案されている（たとえば、特許文献１参照）。
【先行技術文献】
【特許文献】
【０００３】
【特許文献１】特開２００４−２９１５８号公報
【発明の概要】
【発明が解決しようとする課題】
【０００４】
しかし、操作部材を移動可能とすると、カメラの構造が複雑になる。
【０００５】
本発明の課題は、カメラの構造を複雑化することなく、操作部材を操作しやすいように配置可能なカメラを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、被写体像を撮像する撮像部（１１）と、複数の操作部材（２０Ｍ，２０Ｓ，２１〜２８）と、前記複数の操作部材（２０Ｍ，２０Ｓ，２１〜２８）のうちの第１の操作部材（２０Ｓ，２１〜２８）が操作されたときに、前記撮像部（１１）での撮像を開始する第１の制御を行い、前記複数の操作部材（２０Ｓ，２１〜２８）のうち第２の操作部材（２０Ｓ，２１〜２８）が操作されたときに、前記第１の制御以外の第２の制御を行う制御部（１２）とを備え、前記制御部（１２）は、前記第２の操作部材（２０Ｓ，２１〜２８）が操作されたときに行う制御を前記第１の制御に変更することが可能であること、を特徴とするカメラ（１０）である。
請求項２に記載の発明は、請求項１に記載のカメラ（１０）であって、前記制御部（１２）は、前記第２の操作部材（２０Ｓ，２１〜２８）が操作されたときに行う制御を前記第１の制御に変更する際に、前記第１の操作部材（２０Ｓ，２１〜２８）が操作されたときに行う制御を前記第２の制御に変更すること、を特徴とするカメラ（１０）である。
請求項３に記載の発明は、請求項２に記載のカメラ（１０）であって、該カメラ（１０）の電源のオンオフを行う第３の操作部材（２０Ｍ）を備え、前記制御部（１２）は、前記第３の操作部材（２０Ｍ）によりオフからオンにする操作がなされた場合に、前記第１の操作部材（２０Ｓ，２１〜２８）が操作されたときに前記第１の制御を行う設定とすること、を特徴とするカメラ（１０）である。
請求項４に記載の発明は、請求項１に記載のカメラ（１０）であって、該カメラ（１０）の電源のオンオフを行う第３の操作部材（２０Ｍ）を備え、前記制御部（１２）は、前記第２の操作部材（２０Ｓ，２１〜２８）が操作された状態で前記第３の操作部材（２０Ｍ）によりオフからオンにする操作がなされた場合に、前記第２の操作部材（２０Ｓ，２１〜２８）が操作されたときに行う制御を前記第１の制御に変更すること、を特徴とするカメラ（１０）である。
請求項５に記載の発明は、請求項４に記載のカメラ（１０）であって、前記制御部（１２）は、前記第２の操作部材（２０Ｓ，２１〜２８）が操作されたときに行う制御を前記第１の制御に変更する際に、前記第１の操作部材（２０Ｓ，２１〜２８）が操作されたときに行う制御を前記第２の制御に変更すること、を特徴とするカメラ（１０）である。
請求項６に記載の発明は、請求項５に記載のカメラ（１０）であって、前記制御部（１２）は、前記第１の操作部材（２０Ｓ，２１〜２８）が操作されたときに行う制御が前記第２の制御に変更された後、第３の操作部材（２０Ｍ）によりオフからオンにする操作がなされた場合に、前記第１の操作部材（２０Ｓ，２１〜２８）が操作されたときに前記第１の制御を行う設定とすること、を特徴とするカメラ（１０）である。
請求項７に記載の発明は、請求項６に記載のカメラ（１０）において、前記制御部（１２）は、前記第１の操作部材（２０Ｓ，２１〜２８）が操作された状態で前記第３の操作部材（２０Ｍ）によりオフからオンにする操作がなされた場合に、前記設定とすること、を特徴とするカメラ（１０）である。
請求項８に記載の発明は、請求項１〜７のいずれか１項に記載のカメラ（１０）であって、前記第２の操作部材（２０Ｓ，２１〜２８）は、操作がなされた場合に行われる制御が識別可能に表示される表示部（２０Ｄ）を備えること、を特徴とするカメラ（１０）である。
請求項９に記載の発明は、請求項２または３または５または６または７に記載のカメラ（１０）であって、前記第１の操作部材（２０Ｓ，２１〜２８）は、操作がなされた場合に行われる制御が識別可能に表示される表示部（２０Ｄ）を備えること、を特徴とするカメラ（１０）である。
請求項１０に記載の発明は、請求項１〜９のいずれか１項に記載のカメラ（１０）であって、前記第１の操作部材（２０Ｓ，２１〜２８）および前記第２の操作部材（２０Ｓ，２１〜２８）は、半押しと全押しが可能な操作部材（２０Ｓ，２１〜２８）であること、を特徴とするカメラ（１０）である。
なお、符号を付して説明した構成は、適宜改良してもよく、また、少なくとも一部を他の構成物に代替してもよい。
【発明の効果】
【０００８】
本発明によれば、カメラの構造を複雑化することなく、操作部材を操作しやすいように配置可能なカメラを提供することができる。
【図面の簡単な説明】
【０００９】
【図１】本発明の実施形態を適用した電子カメラを背面から見た外観図である。
【図２】電子カメラのブロック構成図である。
【図３】操作ボタン機能割付部による変更割付処理の流れを説明する処理フローである。
【図４】操作ボタン機能割付部による変更割付のタイミングチャートである。
【図５】操作ボタンにおける機能表示の一例を示す図である。
【図６】第２実施形態における操作ボタン機能割付部による変更割付のタイミングチャートである。
【発明を実施するための形態】
【００１０】
（第１実施形態）
以下、図面等を参照して、本発明の第１実施形態について説明する。
図１は、第１実施形態を適用した電子カメラ１０を背面から見た外観図である。図２は、その電子カメラ１０のブロック構成図である。
図１および図２に示すように、電子カメラ１０は、撮像部１１と、操作部２０と、背面表示部１３と、操作ボタン機能割付部３０を備える制御部１２と、画像処理部１４と、画像記録部１５と、を備える。
【００１１】
撮像部１１は、図示しないレンズや絞り等の撮像光学系および撮像素子を含む。この撮像部１１は、レンズによって撮像素子に結像した被写体像を、撮像素子が電気信号（撮像データ）に変換して画像処理部に出力する。
【００１２】
操作部２０は、メインスイッチ２０Ｍおよびシャッターボタン２０Ｓと、複数の操作ボタン２１〜２８を含む。この操作部２０は、使用者によって操作され、その操作情報を制御部１２に出力する。
メインスイッチ２０Ｍは、電子カメラ１０の筐体上部に設けられ、その操作によって当該電子カメラ１０の電源をＯＮ／ＯＦＦする。
【００１３】
操作部２０が備えるメインスイッチ２０Ｍ以外のボタン類、すなわち、シャッターボタン２０Ｓおよび操作ボタン２１〜２８は、それぞれ押下によってスイッチを操作するように構成されている。そして、シャッターボタン２０Ｓまたは操作ボタン２１〜２８の押下操作と、それによって処理されるカメラ機能との対応（シャッターボタン２０Ｓまたは操作ボタン２１〜２８に割り付けられた機能、以下、単純にシャッターボタン２０Ｓまたは操作ボタン２１〜２８の機能とも言う）は、後述する制御部１２によって、当該制御部１２が備える初期割付または初期割付から変更された変更割付に基づいて規定される。
【００１４】
シャッターボタン２０Ｓは、二段の押下ストロークでそれぞれスイッチ操作される二段スイッチとして構成されている。制御部１２による初期割付における機能は、その名の示す通りシャッタレリーズ機能であり、一段目のスイッチのＯＮ信号で測光およびオートフォーカス動作（測距および測距情報に基づくレンズ駆動）を行い、二段目のスイッチのＯＮ信号でレリーズ作用（露光＝撮影）を行うようになっている。また、一段目のスイッチのＯＮ信号は、電子カメラ１０のスリープ状態からの復帰にも用いられる。このシャッターボタン２０Ｓは、図１に示すように、電子カメラ１０の背面側から見て右側の上面側に配設されている。
【００１５】
第１操作ボタン２１は、電子カメラ１０の接眼部１０Ｆを中心としてシャッターボタン２０Ｓと略対称位置となる、電子カメラ１０の背面側から見て左側の上部に配設されている。制御部１２による初期割付における機能は、ＩＳ０感度の設定となっている。
【００１６】
操作部２０が備える他の操作ボタン２２〜２８は、詳細な説明は省略するが、制御部１２による初期割付では、後述する背面表示部１３への機能設定メニュー画面の呼び出し、機能メニューからの選択／設定、測光モードの切り替え、ＡＦモードの切り替え、撮影モード（オート撮影またはマニュアル撮影等）の切り替え、等の機能がそれぞれ割り付けられている。
【００１７】
背面表示部１３は、電子カメラ１０の背面に設けられた液晶パネル１３Ａを備えている。そして、背面表示部１３は、後述する制御部１２によって制御され、液晶パネル１３Ａに、当該電子カメラ１０における各種機能の設定をする機能設定メニューや、シャッター速度，絞りおよび露光補正情報等の使用者が操作部２０を介して入力した撮影に係る設定情報や撮像部１１によって測定された測光情報等を表示する。また、撮影画像やそのヒストグラムおよび撮影情報等を液晶パネル１３Ａに表示する。
【００１８】
制御部１２は、マイクロコンピュータ等により構成されている。そして、制御部１２は、操作部２０のシャッターボタン２０Ｓと各操作ボタン２１〜２８の操作情報および、各操作ボタン２１〜２８を介して設定された設定情報に基づいて、当該電子カメラ１０の各部を統合的に制御する。また、制御部１２は、背面表示部１３を制御して種々の情報および撮影画像等を液晶パネル１３Ａに表示させる。制御部１２は、これらの各処理を実行するためのプログラムを予め記録している。
【００１９】
また、制御部１２は、操作部２０におけるシャッターボタン２０Ｓおよび各操作ボタン２１〜２８と、機能との対応（機能割付）を予め規定した初期割付を、図示しないメモリに格納保持している。初期割付では、前述したように、シャッターボタン２０Ｓにシャッタレリーズ機能を割り付け、第１操作ボタン２１にはＩＳ０感度の設定機能を割り付ける設定となっている。
【００２０】
さらに、制御部１２は、操作部２０におけるシャッターボタン２０Ｓおよびそれぞれの操作ボタン２１〜２８と機能との対応を、初期割付から変更して規定する（変更割付を設定する）操作ボタン機能割付部３０を備えている。この操作ボタン機能割付部３０の作用については、後に詳述する。
【００２１】
画像処理部１４は、撮像部１１から入力される撮像データに対して、色信号生成、マトリクス変換処理、γ変換処理、補正処理等の各種のデジタル信号処理を行って画像情報を生成する。
画像記録部１５は、着脱可能なリムーバブルメモリ等によって構成されている。そして、画像処理部１４によって処理された撮影画像（元画像）および縁付画像生成部によって形成された縁付画像を記録する。
【００２２】
上記のごとき構成の電子カメラ１０は、撮影に際して、使用者（撮影者）による操作部２０の操作に基づく制御部１２の制御によって、撮像部１１が撮像素子に結像した被写体像を電気信号に変換して画像処理部１４に出力し、この電気信号から画像処理部１４が画像データ（元画像）を形成し、画像記録部１５に記録する。背面表示部１３は、前述のごとく、種々の設定情報，撮影情報，撮影画像および操作部２０の機能を規定する操作画面を液晶パネル１３Ａに表示する。
【００２３】
つぎに、制御部１２が備える操作ボタン機能割付部３０における変更割付作用について、図１および図２に加えて、図３および図４を参照して詳細に説明する。
図３は、使用者による操作および操作ボタン機能割付部３０による変更割付処理の流れを説明する処理フローである。図４は、操作ボタン機能割付部３０による変更割付のタイミングチャートである。なお、以下の説明において、操作ボタン２１〜２８中の機能変更対象となるものを操作ボタン２Ｘと記す。
【００２４】
操作ボタン機能割付部３０は、操作部２０におけるシャッターボタン２０Ｓおよび操作ボタン２Ｘに、前述した初期割付とは異なった機能を割り付ける変更割付を設定する。
変更割付は、初期割付においてシャッターボタン２０Ｓに設定されているシャッタレリーズ機能を、操作部２０の他の操作ボタン２Ｘに割り付ける。つまり、シャッターボタン２０Ｓと他の操作ボタン２Ｘとの間で機能を交換して設定するものである。この変更割付は、初期割付に優先する。
【００２５】
具体的には、操作ボタン機能割付部３０は、図４のタイミングチャートに示すように、当該電子カメラ１０の電源が入れられた時（メインスイッチ２０ＭがＯＦＦからＯＮに操作された時）、操作された状態（ＯＮ状態）にある操作ボタン２Ｘに、シャッタレリーズ機能を割り付ける。また、シャッターボタン２０Ｓには、シャッタレリーズ機能を割り付けた操作ボタン２Ｘに対して初期割付で設定されていた機能を割り付ける。たとえば、第１操作ボタン２１にシャッタレリーズ機能を割り付け、シャッターボタン２０ＳにＩＳＯ感度変更機能を割り付ける。
【００２６】
すなわち、操作ボタン機能割付部３０は、図３のフローチャートに示すように、メインスイッチ２０ＭがＯＮ操作されて（Ｓ０１）、電源が投入される（Ｓ０２）と、その時点においてＯＮ操作されている操作ボタン２Ｘがある否か（有無）を判断する。（Ｓ０３）
【００２７】
ステップ（Ｓ０３）において、ＯＮ状態に操作されている操作ボタン２Ｘがあると判断された場合には、その操作ボタン２Ｘとシャッターボタン２０Ｓとで機能を交換する変更割付を行う（Ｓ０４）。すなわち、当該操作ボタン２Ｘにレリーズスイッチ機能を割り付け、シャッターボタン２０Ｓに当該操作ボタン２Ｘのスイッチ機能を割り付ける。この変更割付は制御部１２の図示しないメモリに格納保持され、制御部１２は、以後、この変更割付に基づいてシャッターボタン２０Ｓおよび各操作ボタン２１〜２８の操作情報の判断を行う。
【００２８】
一方、ステップ（Ｓ０３）において、ＯＮ状態に操作されている操作ボタン２Ｘが無いと判断された場合には、変更割付は行わず、制御部１２は予め設定されていた初期割付に基づいてシャッターボタン２０Ｓおよび各操作ボタン２１〜２８の操作情報の判断を行う。
【００２９】
撮影が終了して、メインスイッチ２０ＭがＯＦＦ操作される（Ｓ０５）と、変更割付をリセットする（Ｓ０６）。その後、電源が切られる（Ｓ０７）。
このように、電源が切られる前に変更割付をリセットすることにより、図４のタイミングチャートに示すように、次回メインスイッチ２０ＭがＯＮ操作された際、いずれかの操作ボタン２ＸがＯＮ操作されていなければ、初期割付の設定で立ち上がることとなる。なお、変更割付を電源が切られると記憶が消去されるメモリに保存する構成とすれば、リセットステップ（Ｓ０６）は不要である。
【００３０】
上記のように、制御部に操作ボタン機能割付部３０を備える電子カメラ１０は、シャッタレリーズ機能を、操作部２０におけるシャッターボタン２０Ｓ以外の操作ボタン２１〜２８の機能と交換して設定することができる。これにより、電子カメラ１０の各所に分散配置されている任意の操作ボタン２１〜２８にシャッタレリーズ機能を持たせることができ、撮影者の撮影形態に適した位置の操作ボタン２１〜２８の操作によってシャッタレリーズ操作を行うことが可能となる。
【００３１】
たとえば、前述した接眼部１０Ｆを挟んでシャッターボタン２０Ｓと略対称の位置に配置された第１操作ボタン２１に、シャッタレリーズ機能を割り付ける設定とすれば、左利きの撮影者にとって操作性が向上する。また、撮影者が右利きの場合であっても、利き腕でメモ等の作業を行いながら自然な姿勢でシャッター操作することが可能となって、きわめて利便性の高いものとなる。
【００３２】
ここで、シャッターボタン２０Ｓは、前述したように、二段スイッチとして構成されており、シャッタレリーズ機能を担う場合には、レリーズ一段目のスイッチのＯＮ信号で測光およびオートフォーカス動作を行い、二段目のスイッチのＯＮ信号でレリーズ作用を行うようになっている。
【００３３】
このため、シャッタレリーズ機能を交換する相手側の操作ボタン（２１〜２８のいずれか）も、二段スイッチに構成されていることが好ましい。つまり、各操作ボタン２１〜２８が、それぞれ二段スイッチとして構成されていることが好ましい。操作ボタン２１〜２８を、二段スイッチを操作するように構成すると、一つの操作ボタン２１〜２８にその押下ストロークによって二つの機能を持たせることが可能となる。その場合、機能を交換したシャッターボタン２０Ｓには、当然、初期状態において機能交換相手先の操作ボタン２１〜２８に割り付けられていた機能が同様に割り付けられる。
【００３４】
また、操作ボタン２１〜２８が二段スイッチを操作する構成であっても、一つの機能に対応させてもよい。その場合、第１ストロークまたは第２ストロークのいずれかのスイッチは無機能とする。つまり、第１ストロークのスイッチＯＮで機能させて第２ストロークのスイッチは無機能とするか、または、第１ストロークのスイッチは無機能として第２ストロークのスイッチＯＮで機能する構成のいずれかにすればよい。
【００３５】
さらに、各操作ボタン２１〜２８には、その機能に応じた表示を行う構成とすることが好ましい。図５は、操作ボタン２１に機能表示部２０Ｄを設けた例を示す。
図５に示すように、たとえば、操作ボタン２１の押下面にＬＣＤパネル等の機能表示部２０Ｄを設け、初期割付における機能と、シャッタレリーズ機能の両表示を択一的に表示できるように構成する。そして、機能表示部２０Ｄによって交換された機能に応じた表示を行う。すなわち、初期割付では図５（Ａ）に示すように「ＩＳＯ」と表示され、変更割付では図５（Ｂ）に示すように「ＳＨＵＴＴＥＲ」と表示されるように構成すればよい。
これにより、シャッタレリーズ機能が割り付けられた操作ボタン（２１〜２８のいずれか）を目視によって識別することができ、誤操作を予防することができる。
【００３６】
また、操作ボタン２１〜２８への機能表示の異なる構成として、図には示さないが、操作ボタンの操作面または操作ボタンの配設部位の近傍に、異なる色で発光する発光部材を設けて、その点灯色によって機能を識別させるようにしてもよい。たとえば、緑色に発光するＬＥＤと赤色に発光するＬＥＤとを設け、変更割付においてシャッタレリーズ機能が割り付けられた場合には緑色のＬＥＤが、その他の場合には赤色のＬＥＤが、それぞれ発光するように構成するものである。
これらの構成をすべての操作ボタン２１〜２８に適用しておくことで、緑のＬＥＤが発光している操作ボタンがシャッタレリーズの機能を有するボタンであることが一目で解り、誤操作を防ぐことができる。
【００３７】
（第２実施形態）
つぎに、操作ボタン機能割付部３０における、第２実施形態について、図６を参照して説明する。図６は、操作ボタン機能割付部３０による変更割付のタイミングチャートである。以下の説明においても、前述の実施形態の説明と同様に、操作ボタン２１〜２８中、機能変更対象となるものを操作ボタン２Ｘと記す。
【００３８】
第１実施形態と第２実施形態と異なる点は、撮影が終了して、メインスイッチ２０ＭがＯＦＦ操作されても、変更割付がリセットされない点である。すなわち、電源が切られても、一度操作ボタン２１〜２８になされた変更割付設定が維持されるものである。
なお、本実施形態における変更割付処理の流れを説明する処理フローは、図３のＳ０５からＳ０７までを含まないＳ０１からＳ０４までと同様である。
すなわち、メインスイッチ２０ＭがＯＮ操作されて（Ｓ０１）、電源が投入される（Ｓ０２）と、その時点においてＯＮ操作されている操作ボタンの有無を判断する（Ｓ０３）。
ステップ（Ｓ０３）において、ＯＮ状態に操作されている操作ボタン２Ｘがあると判断された場合には、保持された変更割付をリセットする（Ｓ０４）。
【００３９】
第２実施形態で、シャッターボタン２０Ｓにシャッタレリーズ機能を再度割り付けたい場合は、他の操作ボタンと同様に、メインスイッチ２０ＭをＯＮ操作する際に、ＯＮ操作する。
【００４０】
上記実施形態における機能割付作用によれば、次回メインスイッチ２０ＭがＯＮ操作された際、いずれかの操作ボタン２ＸがＯＮ操作されていなければ、前回メインスイッチ２０ＭをＯＦＦした時点で設定されていた変更割付の設定で立ち上がる。このため、一度変更割付を設定すれば、メインスイッチ２０ＭのＯＮ／ＯＦＦ操作を繰り返してもその変更割付が適用される。つまり、常に特定の操作ボタン２Ｘにシャッタレリーズ機能を持たせたいと希望する場合や、異例な撮影であっても撮影中頻繁にメインスイッチ２０ＭのＯＮ／ＯＦＦ操作を繰り返す必要がある場合において、メインスイッチ２０ＭをＯＮ操作する都度、変更割付の操作（操作ボタン２Ｘの押下操作）を行うという煩わしさが無い。
【００４１】
変更割付をリセットして初期割付に戻したい場合には、図７のタイミングチャートに示すように、シャッターボタン２０Ｓを押下した状態で、メインスイッチ２０ＭをＯＮ操作すればよい。
【００４２】
以上、上述の実施形態によると、以下の効果を有する。
（１）シャッタレリーズ機能を、シャッターボタン２０Ｓ以外の操作部２０における操作ボタン２１〜２８に設定することができる。これにより、撮影者の撮影形態に適した位置の操作ボタン２１〜２８の操作によってシャッタレリーズ操作を行うことが可能となる。
【００４３】
（２）電子カメラ１０の電源が入れられた時、押下された状態にある操作ボタン（２１〜２８のいずれか）に、シャッタレリーズ機能を割り付ける構成とすることで、きわめて容易に任意の操作ボタン（２１〜２８のいずれか）にシャッタレリーズ機能を割り付けることができる。
【００４４】
（３）第１実施形態では、電源が切られる前に変更割付がリセットされる構成とすることで、次回メインスイッチ２０ＭがＯＮ操作された際、変更割付操作が行われていなければ初期割付の設定で立ち上がるため、変更割付のリセット忘れによる誤操作を防ぐことができる。
【００４５】
（４）各操作ボタン２１〜２８に、その機能に応じた表示を行う構成とすることにより、その操作ボタン２１〜２８の機能を目視によって確認することができ、誤操作によってシャッターチャンスを逃す等の不具合を予防することができる。
【００４６】
（５）第２実施形態では、メインスイッチ２０ＭがＯＮ操作された際、変更割付操作が行われていなければ前回メインスイッチ２０ＭをＯＦＦした時点で設定されていた変更割付の設定で立ち上がるように変更割付を保持する構成とすることで、一度変更割付を設定すれば、メインスイッチ２０ＭのＯＮ／ＯＦＦ操作を繰り返してもその変更割付が適用される。これにより、常に特定の操作ボタンにシャッタレリーズ機能を持たせたいと希望するような場合において、メインスイッチ２０ＭをＯＮ操作する都度、変更割付の操作を行うという煩わしい操作が不要となる。
【００４７】
（変形形態）
以上、説明した実施形態に限定されることなく、以下に示すような種々の変形や変更が可能であり、それらも本発明の範囲内である。
（１）本実施形態では、第１操作ボタン２１にシャッタレリーズ機能を割り付け、シャッターボタン２０ＳにＩＳＯ感度変更機能を割り付ける例を示した。しかし、シャッターボタン２０Ｓと機能交換する操作ボタン２１〜２８は、第１操作ボタン２１に限らず何れの操作ボタン２１〜２８であってもよい。
（２）また、本実施形態では、シャッターボタン２０Ｓと機能交換する操作部２０における操作ボタン２１〜２８は、押下によってスイッチを操作するものであるが、たとえばスライドによってスイッチを操作する構成のものであってもよい。
なお、実施形態および変形形態は、適宜組み合わせて用いることもできるが、詳細な説明は省略する。また、本発明は以上説明した実施形態によって限定されることはない。
【符号の説明】
【００４８】
１０：電子カメラ、２０：操作部、２０Ｄ：ＬＣＤパネル、２０Ｍ：メインスイッチ、２０Ｓ：シャッターボタン、２１：第１操作ボタン、２１〜２８：操作ボタン、３０：操作ボタン機能割付部
【図１】
2010193387.tif 000003
【図２】
2010193387.tif 000004
【図３】
2010193387.tif 000005
【図４】
2010193387.tif 000006
【図５】
2010193387.tif 000007
【図６】
2010193387.tif 000008